(57)【要約】      （修正有）【課題】簡易に取り付けられる駐車場の広告表示構造を提供する。【解決手段】駐車場路面上に表示した白線２、２の区画線部に企業名、商品名、商標及びサービスマークから選ばれた１つまたはそれ以上を文字または図柄によって描いた表示板４を貼着し、この表示板の周縁と路面との間に跨って全周または複数箇所の部分に被覆材５を塗布し、駐車場路面上の区画線分に前記表示板４を固着した駐車場の広告表示構造。【選択図】図１
0003141124.tif 000002
【実用新案登録請求の範囲】
【請求項１】
駐車場路面上に表示した白線による区画線部に企業名、商品名、商標及びサービスマークから選ばれた１つまたはそれ以上を文字または図柄を描いた表示板を貼着し、この表示板の周縁の全周または複数箇所と路面との間に跨って被覆材を塗布し、前記表示板を固着したことを特徴とする駐車場の広告表示構造。
【請求項２】
前記駐車場路面上に表示した白線の区画線部が二本の平行線からなり、この白線間の非表示部分に前記表示板を貼着して固着したことを特徴とする請求項１に記載の駐車場の広告表示構造。
【請求項３】
前記表示板が、ビニル系樹脂、アクリル系樹脂、ビニル−アクリル系樹脂から選ばれた１つの合成樹脂シートであり、前記被覆材がビニルまたはアクリル系単独の重合体、ビニル−アクリル系共重合体又はビニル、アクリル、エチレン系三元共重合体から選ばれた重合体を主成分とする樹脂であることを特徴とする請求項１または請求項２に記載の駐車場の広告表示構造。
【請求項４】
前記表示板の四隅部分が円弧状であることを特徴とする請求項１乃至請求項３に記載のいずれか１つの駐車場の広告表示構造。
【請求項５】
前記表示板の表面が滑り止め処理されていることを特徴とする請求項１乃至請求項４に記載されるいずれか１つである駐車場の広告表示構造。
【考案の詳細な説明】
【技術分野】
【０００１】  本考案は、平地の駐車場、鉄骨等で組み立てられた立体駐車場および屋上駐車場などの路面に設置する広告媒体を固着する駐車場の広告表示構造に関する。
【背景技術】
【０００２】  道路や駐車場の路面上に貼着して通行者や運転手に情報を伝達する道路標示シートが一般によく知られており、これら道路標示シートとして企業名などの宣伝用広告を文字または図柄によって描いたシート等を貼着したものがある。特に、駐車場の路面上の車両が駐車するスペースに利用者の企業名を塗料等で塗装して表示する広告入り駐車場特開平１０−３１９８９０号公報として提案され、また、駐車場の区画白線ライン上に標示シートを接着したものとしては登録実用新案第３１３３９５６号公報及び特開２００６−２１４１４３号公報など知られている。【０００３】
【特許文献１】  特開平１０−３１９８９０号公報第１頁
【特許文献２】  登録実用新案第３１３３９５６号公報第１頁
【特許文献３】  特開２００６−２１４１４３号公報第１頁
【０００４】  特許文献１は自動車などの車両の駐車位置のスペースに企業名などの広告表示を路面に塗料を塗布するものであるが、この表示部分が自動車の駐車によって隠れてしまい広告効果なくなり、また、駐車に際してタイヤの通過によって磨耗して表示部分が消されることがあった。また、特許文献２や特許文献３の区画白線ライン上に標示シートを貼着したものにおいては車両タイヤの通過による印刷面の消滅を防止することができるが、広告媒体は一般的に数ヶ月に一度交換することが多く、そのため標示シーとの張り替え作業によって白線ラインも一緒に剥離されることがあり、白線ラインをその都度描かなければならなかった。
【考案の開示】
【考案が解決しようとする課題】
【０００５】  本考案は、これら従来の問題点を改善したもので、車両のタイヤが通過する頻度が少ない駐車区画を明確にする平行な二本の区画ラインの間のスペースを利用し、広告効果に優れた駐車場の広告表示構造を提供するものである。
本考案の課題は、駐車場の平行な区画仕切りラインの間のスペースの有効利用を図るもので、接着性に優れる駐車場の広告標示構造を提供することである。
また、本考案の課題は、個々の駐車区画の毎に異なる広告を表示するのではなく、一箇所の駐車場全体の区画ライン間に同一広告表示をする駐車場の広告表示構造を提供することである。
【課題を解決するための手段】
【０００６】    本考案の前記課題は、以下の構成によって達成することができる。
請求項１の考案は、駐車場路面上に表示した白線による区画線部に企業名、商品名、商標及びサービスマークから選ばれた１つまたはそれ以上を文字または図柄を描いた表示板を貼着し、この表示板の周縁の全周または複数箇所と路面との間に跨って被覆材を塗布し、前記表示板を固着したことを特徴とする駐車場の広告表示構造である。【０００７】  請求項２の考案は、駐車場路面上に表示した二本の平行線からなる区画線部の白線間の非表示部分に企業名、商品名、商標及びサービスマークから選ばれた１つまたはそれ以上を文字または図柄によって描いた表示板を貼着し、この表示板の周縁と路面との間に跨って全周または複数箇所の部分に被覆材を塗布し、駐車場路面上の前記非表示部分に前記表示板を固着した駐車場の広告表示構造の構成である【０００８】  請求項１または請求項２の前記表示板がビニル系樹脂、アクリル系樹脂、ビニル−アクリル系樹脂から選ばれた１つの合成樹脂シートであり、前記被覆材がビニルまたはアクリル系単独の重合体、ビニル−アクリル系共重合体又はビニル、アクリル、エチレン系三元共重合体から選ばれた重合体を主成分とする樹脂である駐車場の広告表示構造の構成である。【０００９】  本考案の前記課題は、請求項１または請求項２の前記表示板の四隅部分が円弧状に形成されている構成、または前記表示板の表面が滑り止め処理されている構成の駐車場の広告表示構造によって達成できる。【００１０】  本考案の広告表示構造に使用する表示板としては、表面に文字、図柄等が描くことができる合成樹脂シートであり、ビニル系樹脂、アクリル系樹脂、ビニル−アクリル系樹脂である。好ましいものとしては塩化ビニル樹脂シートである。また、高分子化合物としては、アミド基、カルボキシル基のうち少なくともの一種を有する（メタ）アクリル系モノマーを含むビニル系モノマーをラジカル重合してなる常温で固体状あるいは固溶体状のアクリルポリオールと、ブロックイソシアネートとを主成分とする熱硬化性樹脂組成物から成るシートであって、該シートの厚みが１〜３５ｍｍであり、該樹脂組成物の重量平均分子量が１１万〜１５０万である合成樹脂シートである。【００１１】  また、水酸基、アミド基、カルボキシル基のうち少なくともの一種を有する（メタ）アクリル系モノマーを含むビニル系モノマー、ブロックイソシアネートおよびラジカル開始剤を、内容物を表面更新しつつ連続的に移送可能でかつ移送過程において温度制御機構を具備した押出機に投入し、該押出機内で上記モノマーを重合せしめた後、得られた熱硬化性樹脂組成物を該押出機に取付けられたシート金型によってシート状に賦形して製造することができる。【００１２】  また、本考案の表示板は反応性の熱硬化性樹脂組成物をシート状に成形したものであって、該樹脂組成物は、水酸基、アミド基、カルボキシル基のうち少なくともの一種を有する（メタ）アクリル系モノマーを含むビニル系モノマーをラジカル重合してなる常温で固体状あるいは固溶体状のアクリルポリオールと、ブロックイソシアネートとを主成分とし、常温で固体又は固溶体状の未硬化状態にしたものも使用できる。【００１３】  本考案の駐車場の広告表示構造に使用する被覆材としては速乾性のアク���ル系樹脂で、前記被覆材がビニルまたはアクリル系単独の重合体、ビニル−アクリル系共重合体又はビニル、アクリル、エチレン、アクリル系三元共重合体から選ばれた重合体を主成分とするものである。この重合体に、シリカ、炭酸カルシウム、カオリン、酸化チタン、酸化アンチモ等の無機填料を混合したもので、その他微生物防除材等を添加してある。使用する有機溶剤としてはトルエン、キシレン等のベンゼン以外の芳香族溶剤で、炭素数１〜５の脂肪族エステル、炭素数１〜７のアルコールまたはポリオール等である。【００１４】  本考案の表示板に使用する合成樹脂シートは、裏面にアルミニウム箔を積層したものが使用でき、耐久性に優れ、可撓性に富み非常に好ましい。【００１５】  本考案の駐車場の広告表示構造の表示板を路面に接着する接着剤としては天然ゴム粘着付与剤と知られる粘着剤が好ましい。その他のブチルゴム、クロロプレンゴム等の合成ゴム製品を使用することができる。
また、表示板としては路面に貼着したときに歩行者等が滑って転倒しないように表面に微細な凹凸のある樹脂フィルム等を接着したラミネートフィルムを使用するのが好ましい。【００１６】  本考案の駐車場の広告表示構造に使用する簡易固着部材としては合成樹脂などのバインダーに永久磁石の粉末を分散してある磁石板、ゴムや発泡性樹脂に永久磁石を分散した磁石板が用いられる。特に、この磁石板の厚みを薄くし、薄板に形成してある磁石板を磁極が交互に配置されるように所定の厚さに積層したものは接着力が強力である。【００１７】  上記表示板の表面の文字、図柄の形成手段としては、駐車場の舗装時に凹凸面として設けたり、路面表示用の塗料等を塗布したりすることが挙げられる。この路面表示用の塗料等の塗布は、予め所定の文字や図形等を表示したシート類を駐車路面上に加熱ローラ等で融着することによって行なうことができる。また駐車路面上に塗装用のマスクを施しておき、所定部分に路面表示用の塗料等を塗布したのちマスクを剥すことにより、マスクの施されていない部分に広告表示６が残るようにしてもよい。
【考案の効果】
【００１８】  本考案の駐車場の広告表示構造は、駐車場の駐車位置を明確にするための平行な二本の区切り白線の間に文字、図柄を表示した表示板を配置してあるから車両が駐車していても広告効果がある。また、二本の白線の間のスペースに表示板を配置してあるから数ヶ月に一度張り替えた場合にも白線が剥離されることがなく、白線の再書きの必要がない。【００１９】  更に、本考案の駐車場の広告表示構造は、表示板の周縁部分において被覆材を被覆してあるから表示板の周縁の剥離を防止でき、いたずらによる表示板の剥離を防止できる。特に、被覆材はアスファルトや表示板に強固に接着するビニルまたはアクリル系単独の重合体、ビニル−アクリル系共重合体又はビニル、アクリル、エチレン、アクリル系三元共重合体から選ばれた重合体を主成分とする重合体を使用しているので長期間の耐久性に優れている
【考案を実施するための最良の形態】
【００２０】  本考案に係る駐車場の広告表示構造を実施するための最良の形態を図面に基づいて説明する。
図１は本考案の駐車場の広告表示構造を施した実施形態を示す平面図、図２は本考案の駐車場の広告表示構造の広告表示部分の断面図、図３は駐車場の広告表示構造を施した他の実施形態の平面図である。【００２１】  本考案は、駐車場路面１の区画仕切り線２、２の間のスペース３に貼着する表示板４を配置する。
この表示板４は、ビニル系樹脂、アクリル系樹脂、ビニル−アクリル系樹脂である。好ましいものとしては塩化ビニルシートである。また、高分子化合物としては、水酸基、アミド基、カルボキシル基のうち少なくともの一種を有する（メタ）アクリル系モノマーを含むビニル系モノマーをラジカル重合してなる常温で固体状あるいは固溶体状のアクリルポリオールと、ブロックイソシアネートとを主成分とする熱硬化性樹脂組成物から成るシートであって、可撓性のもので、表面に文字や図形等が描くことができるものである。
該表示板の厚みが１〜３５ｍｍであり、該樹脂組成物の重量平均分子量が１１万〜１５０万のものが好ましい。【００２２】  この表示板の四隅は円弧状に形成し、大きなアールを形成するのが好ましい。アールが小さいと隅部分が剥がれ易く、いたずらによって剥がされやすい。
この表示板４の周縁部分と舖装アスファルトの路面とに跨って所定の幅で被覆材５を施す。この被覆材５は耐久性でありアスファルト路面との接着性に優れるばかりではなく、表示板４との接着性に優れている。この被覆材５は図面に示すように表示板４の表面周縁に部分的に形成してあるが、全周に施してもよい。また、表示板４の全面に透明な被覆材５を被覆してもよい。【００２３】  この表示板４は表面に歩行者の転倒を防止するラミネートフィルム処理がされている。また路面との接着面にアルミニウム箔が接着してある。【００２４】  表示板の表示の内容は、漢字、仮名文字、アルファベット、数字、記号からなる群から選ばれた少なくとも１つまたは組み合わせによって文字，図柄を表示する。表示板の表面に着色印刷して描いてあってもよく、切抜きによって表示してもよい。また、表示板４の幅は二本の区画白線ライン２の間に納まる幅であり、白線ライン２の長さと同じ長さに形成し、文章やフレーズなど長い表示を施しても良い。【００２５】  本考案の駐車場の広告表示構造は、以下のようにして形成することができる。
幅２０ｃｍ、長さ１．５ｍ、厚み２ｍｍの塩化ビニル樹脂シートであり、他の調合剤を含有する表示板４の表面に企業名や商標を印刷してある。
アスファルトの路面１の二本の白線ライン２、２間のスペース３に天然ゴム粘着付与剤を介して表示板４を貼着する。この表示板４の周縁部分にビニル系樹脂を主成分とする被覆材５を路面１と表示板４の周縁との間に塗布して被覆する。【００２６】  表示板４の四隅は円弧状に形成してあるから剥離しにくくなっている。特に、被覆材５を表面に施すことにより、強固に接着し、耐久性に優れる。
【図面の簡単な説明】
【００２７】
【図１】  本考案の駐車場の広告表示構造を施した実施形態を示す平面図である。
【図２】  本考案の駐車場の広告表示構造の広告表示部分の断面図である。
【図３】  駐車場の広告表示構造を施した他の実施形態の平面図である。
【符号の説明】
【００２８】  １      路面
２      白線ライン
３      スペース
４      表示板
５      被覆材
６      コーナー
【図１】
0003141124.tif 000003
【図２】
0003141124.tif 000004
【図３】
0003141124.tif 000005